(57)【要約】      （修正有）【課題】紙の枚数が少なくなった時に、紙が取出口から内方に離脱し、紙の始端が収納箱内部に落ちることがなく、紙を容易に取り出すことができる衛生用紙の収納箱を提供する。【解決手段】紙を取出口３に向けて押し上げるために容器の底面５に設けた押上部７に、折り返し部１０を設けることで、折り返し部は、半切断線Ｂ１１を切断して、対向して、折り返し線で外面に向かって折り返すことで、押上部と折り返し部とがＬ型になり、底面の押上部の面の曲がりやへこみがしにくくなり、押上部が下がることがなくなる。【選択図】図１
2019142570.tif 000002
【特許請求の範囲】
【請求項１】
衛生用紙の取出すための取出口を有する上面と、紙の残り枚数が少なくなった時に前記取出口に向けて内側に押し込んで残りの紙を前記取出口方向に押し上げる押上部を底面に有する六面体からなる収納箱において、
前記押上部は前記底面と、前記底面に続いて互いに対向する両側面の前記底面から同じ高さ位置にかけて実質的に平行に設けた一対の半切断線Ａの間に区画され、
前記底面の前記半切断線Ａには、他方の前記半切断線Ａに向かって、半切断線Ｂが各２本設けられ、前記半切断線Ｂの間には、折り返せるように１本の折り返し線が設けられて、折り返し部は、前記半切断線Ｂを切断して外面に向かって前記折り返し線で折り返せるようになっており、
前記押上部は前記両側面における同じ高さ位置で前記半切断線Ａの両端間を結ぶ折り込み線が設けられており、前記折り込み線が内側に折り込まれることにより、前記取出口に対してそのほぼ全長に亘って内側から残りの紙を押しつけ得る帯状の部分であることを特徴とする衛生用紙の収納箱。
【請求項２】
前記折り込み線は、前記押上部の前記両側面において、複数本設けられていることを特徴とする請求項１に記載の衛生用紙の収納箱。
【発明の詳細な説明】
【技術分野】
【０００１】
本発明は衛生用紙を収容した収納箱から、取出口を有する上面を介して最上面の紙から順に取り出し得やすいようにした収納箱に関するものである。
【背景技術】
【０００２】
上面を長方形、正方形等の四角形として六面体に形成した箱体からなる収納箱は、複数枚を積み重ねたティシューや紙タオル等の紙を収容し、紙を取出すための取出口を有する上面を介して最上面の紙から順に取り出し得るようにしてある。取り出しと同時に、次の紙の始端が最上面の紙の終端と共に引き出されるが、次の紙は取出口に保持され、次の取り出しに備えられる。
【０００３】
ティシューのように薄手の柔軟な紙は、引き出し口から紙を順に取り出しうるようにしているが、紙の枚数が少なくなると、紙を取出すための取出口に保持された最上面の紙が、重力なので収納箱内部に落ち、手を収納箱内部に入れて紙を取り出していた、そのため、紙が収納箱内部に落ちるのを防ぐために、ビニールシートなどを取出口に張り付けているが、十分でなく、紙の枚数が少なくなると取出口から内方に離脱し、紙の始端が収納箱内部に落ち、紙を取り出すこと容易でなく難しかった。
【０００４】
【特許文献１】特開２０００−１５３８８７号
【発明の概要】
【発明が解決しようとする課題】
【０００５】
収納箱内の紙の枚数が少なくなると、最上面の紙と取出口との間の距離が大きくなり、紙を取出すための取出口に保持された最上面の紙が、重さなので収納箱内部に落ち、手を収納箱内部に入れて紙を取り出していた。そのため、紙が収納箱内部に落ちるのを防ぐために、ビニールシートなどを取出口に張り付けているが、十分でなく、紙の枚数が少なくなると紙の始端が収納箱内部に落ち、紙を取り出すことに手間がかかるという問題があった。
【０００６】
特許文献１においては、解決手段として、押上部材は六面体の収納箱の底面から互いに対向する両側面にかけて実質的に平行に設けた一対の半切断線で区画され、残り枚数が少なくなった紙を押し上げるために一対の半切断線に沿って押上部材の両側縁を切断し、容器の両側面における両端間を結ぶ折り返し線に沿って内側に折り返して押し込むと、容器上面の引出口に向かうアーチを形成して紙を引出口のほぼ全面に亘って内側から押しつけ得る帯状の部分でなる。と、記述しているが、容器上面の引出口に向かってアーチを形成することで、紙の枚数が少なくなった時、収納箱内の紙が押上部材により持ち上げられ、取出口から取り出しやすくなるが、容器上面の取出口に向かってアーチを形成しているため、紙の重さや手で押しつけること、また、材質が紙であることで、紙を取出口に保持するに充分な押し上げ力が得られなく、簡単に、押上部材のアーチが崩れ、押上部材が下がり、取出口に保持されている紙の始端は、取出口から内方に離脱しがちになり、紙の始端が収納箱内部に落ち、押上部材としての効果は発揮されなく、取出すのに取出しにくく、紙を取り出すことに手間がかかるいという疑問があった。
【課題を解決するための手段】
【０００７】
本発明は、紙の枚数が少なくなると紙の始端が収納箱内部に落ち、紙を取り出すことに手間がかかるという課題を解決するための衛生用紙の収納箱であって、下記のことが考え出させられる。
【０００８】
請求項１に記載した発明は、  衛生用紙の取出すための取出口を有する上面と、紙の残り枚数が少なくなった時に取出口に向けて内側に押し込んで残りの紙を取出口方向に押し上げる押上部を底面に有する六面体からなる収納箱において、押上部は底面と、底面に続いて互いに対向する両側面の底面から同じ高さ位置にかけて実質的に平行に設けた一対の半切断線Ａの間に区画され、底面の半切断線Ａには、他方の半切断線Ａに向かって、半切断線Ｂが各２本設けられ、半切断線Ｂの間には、折り返せるように１本の折り返し線が設けられて、折り返し部は、半切断線Ｂを切断して外面に向かって折り返し線で折り返せるようになっており、押上部は両側面における同じ高さ位置で半切断線Ａの両端間を結ぶ折り込み線が設けられており、折り込み線が内側に折り込まれることにより、取出口に対してそのほぼ全長に亘って内側から残りの紙を押しつけ得る帯状の部分であることを特徴とする衛生用紙の収納箱である。
【０００９】
請求項２に記載した発明は、折り込み線は、押上部の両側面において、複数本設けられていることを特徴とする請求項１に記載の衛生用紙の収納箱である。
【００１０】
上記構成により、紙の枚数が少なくなった時に、衛生用紙の収納箱を操作する場合は、取出口方向に押し上げる押上部を有する底面を、底面に続いて互いに対向する両側面の底面から同じ高さ位置にかけて実質的に平行に設けた一対の半切断線Ａの間に区画された部分を切断し、取出口に向けて押上部を内側に押し込んで、半切断線Ａと他方の半切断線Ａとの両側面に半切断線Ｂが各２本設けられている底面の半切断線Ｂを、半切断線Ｂに対向して折り込めるように切断して、折り返し部を外面に向かって折り込むことで、押上部と折り返し部とがＬ型になり、Ｌ型になることで、押上部の面がアーチ状ではなく平面状になり、収納箱の底面の押上部が、曲がりやへこみにくくなり、押上部が下がることがなく、取出口に保持されている紙の始端は、取出口から内方に離脱しにくくなり、紙の取出しを容易に行うことができる。
【００１１】
容器本体の収納箱は、厚紙、コートボール紙などの紙素材が使用されている。
【００１２】
収納箱に収納された紙は、ティシューや紙タオル等の紙であるが、取出しが可能であれば、アルミホイル、調理用紙シート等でもよい。
【００１３】
収納箱の両側面の折り込み線は、底面の押上部の高さが変更できるように、両側面に各複数本設けてもよい。
【００１４】
半切断線Ａ、半切断線Ｂは、切断が可能なミシン目線がよいが、ミシン目線以外の形状でもよく、使用時に半切断線Ａ、半切断線Ｂが切断でできればよい、また、折り込み線、折り返し線は、折り線で、折り込み、折り返しができればよいが、折り線がなくても、折り込み、折り返しができればよい。
【００１５】
一般的に、折り込み線は、幅の広い両側面を利用するが、折り込み線を、幅の狭い両側面でも対応ができる。
【００１６】
折り込み線は、両側面にあり、折り込み線を折り込むことで、底面と側面との角を角として、取出口方向に押し上げられ、押上部が取出口方向に押し上げられる。
【００１７】
底面の押上部は、底面の半切断線Ｂを、半切断線Ｂに対向して折り込めるように切断して外面に向かって折り込みことで、押上部と折り返し部がＬ型になることで、底面の押上部が曲がりにくくなることで、押上部の面の曲がりやへこみがしにくくなり、押上部が下がることがなく、紙の取出しを容易に行うことができる。
【発明の効果】
【００１８】
以上のように、本願発明の折り返し部は、特許文献１の紙容器にはなく、本発明によれば、紙の残り枚数が少なくなった時に、紙を取出口に向けて押し上げるために容器の底面に設けた押上部に、折り返し部を設けることで、折り返し部は、半切断線Ｂを切断して、対向して、折り返し線で外面に向かって折り返すことで、押上部と折り返し部とがＬ型になり、底面の押上部の面の曲がりやへこみがしにくくなり、押上部が下がることがなく、紙の取出しを容易に行うことが可能となる。
【図面の簡単な説明】
【００１９】
【図１】本発明に係る押上部の実施例を衛生用紙の収納箱に応用した場合の押上部の使用状態を示す斜視図である。
【図２】本発明に係る収納箱で、押上部の使用前の正面図である。
【図３】本発明に係る収納箱で、押上部の使用前のほぼ中央の断面図である。
【図４】本発明に係る収納箱で、押上部の使用前の底面図である。
【図５】本発明に係る収納箱で、押上部の使用後の正面図である。
【図６】本発明に係る収納箱で、押上部の使用後のほぼ中央の断面図である。
【図７】本発明に係る収納箱で、押上部の使用後の底面図である。
【図８】本発明に係る収納箱で、折り込み線を増やした押上部の使用前の正面図である。
【発明を実施するための形態】
【００２０】
以下、本発明である衛生用紙の収納箱を図面について説明する。
【００２１】
図１は、本発明の押上部の実施例を収納箱に応用した場合の押上部７の使用状態を示す斜視図であり、図１の衛生用紙の収納箱１は、厚紙、コートボール紙などの紙素材が使用されて、衛生用紙の取出すための取出口３を有する上面４と、紙の残り枚数が少なくなった時に取出口３に向けて内側に押し込んで残りの紙を取出口３方向に押し上げる押上部７を底面５に有する六面体からなる収納箱であり、押上部７は底面５と、底面５に続いて互いに対向する両側面６の底面５から同じ高さ位置にかけて実質的に平行に設けた一対の半切断線Ａ８の間に区画されている。底面５の半切断線Ａ８には、半切断線Ａ８の両側面６に半切断線Ｂ１１が各２本設けられ、半切断線Ｂ１１は、対向して折り返せるように１本の折り返し線１２が設けられて、半切断線Ｂ１１を切断して外面に向かって折り返し線１２で折り返せるようになっている。押上部７は両側面６における同じ高さ位置の一対の半切断線Ａ８の両端間を結ぶ折り込み線９について内側に折り込まれて、取出口３に対してそのほぼ全長に亘って内側から残りの紙を押しつけ得る帯状の部分である衛生用紙の収納箱である。
【００２２】
図２は、本発明に係る収納箱であり、押上部７の使用前の正面図で、衛生用紙の取出すための取出口３を有する上面４と、紙の残り枚数が少なくなった時に取出口３に向けて、折り込み線９で内側に折り込んで、残りの紙を取出口３方向に押し上げる押上部７と、押上部７は底面５と、底面５に続いて互いに対向する両側面６の底面５から同じ高さ位置にかけて実質的に平行に設けた一対の半切断線Ａ８の間に区画されている。
【００２３】
図３は、本発明に係る収納箱であり、押上部７の使用前のほぼ中央の断面図で、収納箱内部に紙２があり、取出口３がある上面４と押上部７がある底面５に有する六面体である。
【００２４】
図４は、本発明に係る収納箱であり、押上部７の使用前の底面図で、押上部７は底面５と、底面５に続いて互いに対向する両側面６の底面５から同じ高さ位置にかけて実質的に平行に設けた一対の半切断線Ａ８の間に区画され、底面５の半切断線Ａ８には、半切断線Ａ８の両側面６に半切断線Ｂ１１が各２本設けられ、半切断線Ｂ１１は対向して折り返せるように各１本の折り返し線１２が設けられて、折り返し部１０は、半切断線Ｂ１１を切断して、折り返し線１２で外面に向かって折り返せるようになっている。
【００２５】
図５は、本発明に係る収納箱であり、押上部７の使用後の正面図で、衛生用紙の取出すための取出口３を有する上面４と、底面５は平行に設けた一対の半切断線Ａ８で押上部７と切り離し、押上部７は紙の残り枚数が少なくなった時に取出口３に向けて折り込み線９で  内側に押し込んで残りの紙を取出口３方向に押し上げている押上部７であり、底面５に続いて互いに対向する両側面６の底面５から同じ高さ位置にかけて実質的に平行に設けた一対の半切断線Ａ８の間に区画されている。押上部７に各２本設けられている半切断線Ｂ１１を切断して、対向して折り返せるように１本の折り返し線１２が設けられている折り返し部１０を、外面に向かって折り返し線１２で折り返している。
【００２６】
図６は、本発明に係る収納箱で、押上部７の使用後のほぼ中央の断面図で、収納箱内部に紙２が押上部７で押上げており、半切断線Ｂ１１を切り、折り返し部１０は、外面に向かって折り返し線１２で折り返している。
【００２７】
図７は、本発明に係る収納箱で、押上部７の使用後の底面図で、押上部７は底面５と一対の半切断線Ａ８で切り離し、底面５に続いて互いに対向する両側面６の底面５から同じ高さ位置にかけて実質的に平行に設けた一対の半切断線Ａ８の間に区画されている押上部７に半切断線Ｂ１１が各２本設けられ、対向して折り返せるように１本の折り返し線１２が設けられている折り返し部１０は、外面に向かって折り返し線１２で折り返している。
【００２８】
折り返し部１０は、紙の残り枚数が少なくなった時に、紙２を取出口３に向けて押し上げるために容器の底面５に設けた押上部７に、折り返し部１０を設けることで、底面５から離れた押上部７は、半切断線Ｂ１１を切り、折り返し線１２で外面に向かって折り込み、押上部７と折り返し部１０とがＬ型になることで、押上部の面がアーチ状ではなく平面状になり、押上部７の面の曲がりやへこみがしにくくなり、押上部７が下がることがなく、紙の取出しを容易に行うことが可能となる。
【００２９】
図８は、本発明に係る収納箱で、折り込み線９を増やした押上部７の使用前の正面図で、折り込み線９の数を増やすことで、押上部７の高さを変えることができ、紙の残り枚数がさらに少なくなった時に押上部７の高さを上げることで、紙の取出しをさらに容易に行うことが可能となる。
【符号の説明】
【００３０】
１    収納箱
２    紙
３    取出口
４    上面
５    底面
６    両側面
７    押上部
８    半切断線Ａ
９    折り込み線
１０  折り返し部
１１  半切断線Ｂ
１２  折り返し線
【図１】
2019142570.tif 000003
【図２】
2019142570.tif 000004
【図３】
2019142570.tif 000005
【図４】
2019142570.tif 000006
【図５】
2019142570.tif 000007
【図６】
2019142570.tif 000008
【図７】
2019142570.tif 000009
【図８】
2019142570.tif 000010
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
衛生用紙の取出すための取出口を有する上面と、紙の残り枚数が少なくなった時に前記取出口に向けて内側に押し込んで残りの紙を前記取出口方向に押し上げる押上部を底面に有する六面体からなる収納箱において、
前記六面体の底面には、前記押上部の為の、前記底面に続いて互いに対向する両側面の前記底面から同じ高さ位置にかけて実質的に平行に設けた一対の半切断線Ａの間に区画され、
前記半切断線Ａには、他方の前記半切断線Ａに向かって、半切断線Ｂが各２本設けられ、前記半切断線Ｂの間には、前記半切断線Ａに沿って折り返せるように１本の折り返し線が設けられて、
前記両側面には、同じ高さ位置で前記半切断線Ａの両端間を結ぶ折り込み線が設けられており、
前記押上部は、前記半切断線Ａを切断し、前記折り込み線が内側に折り込まれ、前記半切断線Ｂを切断して外面に向かって前記折り返し線で折り返すことにより、前記取出口に対してそのほぼ全長に亘って内側から残りの紙を押しつけ得る帯状の部分であって、
前記折り返し線は、前記折り込み線の間にあることを特徴とする衛生用紙の収納箱。
【請求項２】
前記折り込み線は、前記押上部の前記両側面において、複数本設けられていることを特徴とする請求項１に記載の衛生用紙の収納箱。
【手続補正２】
【補正対象書類名】明細書
【補正対象項目名】０００８
【補正方法】変更
【補正の内容】
【０００８】
請求項１に記載した発明は、衛生用紙の取出すための取出口を有する上面と、紙の残り枚数が少なくなった時に取出口に向けて内側に押し込んで残りの紙を取出口方向に押し上げる押上部を底面に有する六面体からなる収納箱において、六面体の底面には、押上部の為の、底面に続いて互いに対向する両側面の底面から同じ高さ位置にかけて実質的に平行に設けた一対の半切断線Ａの間に区画され、半切断線Ａには、他方の半切断線Ａに向かって、半切断線Ｂが各２本設けられ、半切断線Ｂの間には、半切断線Ａに沿って折り返せるように１本の折り返し線が設けられて、両側面には、同じ高さ位置で半切断線Ａの両端間を結ぶ折り込み線が設けられており、押上部は、半切断線Ａを切断し, 折り込み線が内側に折り込まれ、半切断線Ｂを切断して外面に向かって折り返し線で折り返すことにより、取出口に対してそのほぼ全長に亘って内側から残りの紙を押しつけ得る帯状の部分であって、折り返し線は、折り込み線の間にあることを特徴とする衛生用紙の収納箱である。
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
衛生用紙の取出すための取出口を有する上面と、紙の残り枚数が少なくなった時に前記取出口に向けて内側に押し込んで残りの紙を前記取出口方向に押し上げる押上部を底面に有する六面体からなる収納箱において、
前記六面体の底面には、前記押上部が、前記底面及び前記底面に続いて互いに対向する両側面の前記底面から同じ高さ位置にかけて実質的に平行に設けた一対の半切断線Ａの間に区画され、
前記半切断線Ａには、他方の前記半切断線Ａに向かって、半切断線Ｂが各２本設けられ、前記半切断線Ｂの間には、前記半切断線Ａに沿って折り返せるように１本の折り返し線が設けられて、
前記両側面には、同じ高さ位置で前記半切断線Ａの両端間を結ぶ折り込み線が設けられており、
前記押上部は、前記半切断線Ａを切断し、前記折り込み線が内側に折り込まれ、前記半切断線Ｂを切断して外面に向かって前記折り返し線で折り返すことにより、前記取出口に対してそのほぼ全長に亘って内側から残りの紙を押しつけ得る帯状の部分であって、一対の前記折り返し線が前記両側面間の略中央位置に対向する前記両側面間の大部分にわたって形成されており、前記押上部と前記折り返し線により形成された折り返し部とがＬ型になり、  Ｌ型になることで、前記押上部の面がアーチ状ではなく平面状になることを特徴とする衛生用紙の収納箱。
【請求項２】
前記折り込み線は、前記押上部の前記両側面において、複数本設けられていることを特徴とする請求項１に記載の衛生用紙の収納箱。
【手続補正２】
【補正対象書類名】明細書
【補正対象項目名】０００８
【補正方法】変更
【補正の内容】
【０００８】
請求項１に記載した発明は、衛生用紙の取出すための取出口を有する上面と、紙の残り枚数が少なくなった時に取出口に向けて内側に押し込んで残りの紙を取出口方向に押し上げる押上部を底面に有する六面体からなる収納箱において、六面体の底面には、押上部が、底面及び底面に続いて互いに対向する両側面の底面から同じ高さ位置にかけて実質的に平行に設けた一対の半切断線Ａの間に区画され、半切断線Ａには、他方の半切断線Ａに向かって、半切断線Ｂが各２本設けられ、半切断線Ｂの間には、半切断線Ａに沿って折り返せるように１本の折り返し線が設けられて、両側面には、同じ高さ位置で半切断線Ａの両端間を結ぶ折り込み線が設けられており、押上部は、半切断線Ａを切断し、折り込み線が内側に折り込まれ、半切断線Ｂを切断して外面に向かって折り返し線で折り返すことにより、取出口に対してそのほぼ全長に亘って内側から残りの紙を押しつけ得る帯状の部分であって、一対の折り返し線が両側面間の略中央位置に対向する両側面間の大部分にわたって形成されており、押上部と折り返し線により形成された折り返し部とがＬ型になり、Ｌ型になることで、押上部の面がアーチ状ではなく平面状になることを特徴とする衛生用紙の収納箱である。